(57)【特許請求の範囲】
【請求項１】
筐体内にノズル付きホースを内巻きにして収容し、消火時に筐体の扉を開いて前記ノズル付きホースを引き出して消火する消火栓装置において、
前記扉内側に設けられて前記ホースを挿通するホースガイドと、
前記ホースガイドを逆Ｕ字状にしてガイドアームを形成し、該ガイドアームの一端を前記扉の内側に固定した回転取付金具を中心に回転自在に装着し、該ガイドアームの他端を前記扉に対し着脱自在に支持し、前記扉に対し着脱自在に支持される前記ガイドアームの他端をフリーとした状態で前記回転取付金具を中心に前記ガイドアームの一端を回動することにより、前記ホースガイドを前記ホースの挿通位置から前記ホース非挿通位置に切替可能な取り外し構造と、
を備えたことを特徴とする消火栓装置。
【発明の詳細な説明】
【０００１】
【発明の属する技術分野】
本発明は、トンネルなどに設置され車両火災の消火に使用される消火栓装置に関する。
【０００２】
【従来技術】
従来、高速道路や自動車専用道路などのトンネルに設置された消火栓装置としては、例えば図１３のようなものが知られている（特開２００１−９５９４０等）。
【０００３】
この消火栓装置１００は、ノズル１０２の付いたホース１０３が筐体内に内巻きに収容されており、火災時に扉１０１を開きノズル１０２を持ってホース１０３を引き出して消火する。このホース引出しの際に、ホース１０３が必要以上に出てくるのを防ぐため、扉１０１の内側にホースガイド１０４を設け、ホースガイド１０４を通してホース１０３を引き出している。
【０００４】
【発明が解決しようとする課題】
しかしながら、このような扉内側にホースガイドを設けた消火栓装置にあっては、ホースガイドによってホースの動きを制限していることとなるため、消火後にホースを筐体内に巻戻す際に妨げとなり、内巻き状態にホースを収容する作業に手間と時間がかかる問題があった。
【０００５】
本発明は、内巻き収容状態へのホース巻き戻しが容易にできるようにした消火栓装置を提供することを目的とする。
【０００６】
【課題を解決するための手段】
この目的を達成するために本発明は次のように構成する。本発明は、筐体内にノズル付きホースを内巻きにして収容し、消火時に筐体の扉を開いてノズル付きホースを引き出して消火する消火栓装置において、扉内側に設けられてホースを挿通するホースガイドと、ホースガイドを逆Ｕ字状にしてガイドアームを形成し、ガイドアームの一端を扉の内側に固定した回転取付金具を中心に回転自在に装着し、ガイドアームの他端を扉に対し着脱自在に支持し、扉に対し着脱自在に支持されるガイドアームの他端をフリーとした状態で回転取付金具を中心にガイドアームの一端を回動することにより、ホースガイドをホースの挿通位置からホース非挿通位置に切替可能な取り外し構造とを備えたことを特徴とする。
【０００７】
このため本発明によれば、消火後にホースを内巻き状態に巻き戻す際には、ホースガイドをホースから外すことにより、ホースガイドに妨げられることなく、簡単且つ容易に巻き戻しが可能となる。
【０００８】
ここでホースガイドは、例えば逆Ｕ字形状のアーム部材であり、一端を扉側に回転自在に装着すると共に、他端を扉側に対し着脱自在に支持する。この逆Ｕ字形状アーム部材の他端を扉側に対する着脱構造としては、固定枠に対しヒンジを介して回動枠を締結する構造、アーム端部をストッパピンで係止する構造、アーム端部をビス止めする構造、又はアーム端部と扉側固定部の各々にネジ部を形成してナットリングで締結する構造等とする。
【００１１】
【発明の実施の形態】
図１は本発明による消火栓装置の正面図である。図１において、消火栓装置１の筐体２の前面には消火栓扉４と消火器扉５が設けられている。消火栓扉４の内部には、後の説明で明らかにするように、先端にノズルを装着したホースを筐体内に内巻きして収納しており、消火栓扉４を開いてノズルを引き出し、扉内に設けている消火栓弁開閉レバーを操作することで消火ポンプ設備を起動して放水を行うことができる。
【００１２】
消火栓扉４には開閉ハンドル４ａが設けられ、開閉ハンドル４ａを引くことで消火栓扉４を、下側を回転軸に前方に開放することができる。また消火器扉５には開閉ハンドル５ａが設けられ、開閉ハンドル５ａで扉を横に開くことで内部の消火器を取り出すことができる。
【００１３】
消火器扉５の右側には赤色表示灯６ａと手動発信機６ｂが設けられている。トンネル内での火災事故の際には、手動発信機６ｂのボタン操作により監視室などに異常通報でき、火災通報が行われると赤色表示灯灯６ａが通常の点灯状態から点滅状態に切り替わる。
【００１４】
図２は図１おける消火栓扉４の内部構造の説明図である。消火栓扉の内部には、Ｕ字型の支持アーム７とホース収納枠８とによって保形タイプのホース９を内巻き状態で収納している。この支持アーム７とホース収納枠８は図５に取り出して示す構造を持つ。
【００１５】
支持アーム７は上部で筐体に固定支持されたＵ字形であり、パイプ部材を使用している。この支持アーム７には、ほぼ中央外側から横及び背後に矩形に形成され上下に開口したホース収納枠８が装着され、図２のように筐体２内にホース９が内巻きした状態で収納されている。
【００１６】
ホース収納枠８の中に内巻きに収納されたホース９は、右側の給水管から消火用水の供給を受ける。このホース収納枠８の右側には給水栓１０ａを備えた給水弁１０が設けられ、給水栓１０ａにホースを接続して給水弁１０のハンドルを回すことで給水ができる。
【００１７】
給水弁１０の右側には給水接続口１０ｂが設けられ、ここに下側から立ち上げられた給水配管が接続され、消火ポンプ設備からの加圧消火用水を供給することができる。給水弁１０の下側には消火栓弁１１が設けられる。
【００１８】
消火栓弁１１は消火栓扉の内側に設けている消火栓弁開閉レバーとワイヤー接続されており、レバー操作に従って弁の開閉を行うことができる。消火栓弁１１に続いては自動排水弁１２が設けられ、通常時にあっては消火栓弁１１の２次側を排水するようにしている。自動排水弁１２に続いては自動調圧弁１３が設けられる。
【００１９】
図３は図１の消火栓装置１の消火栓扉４を開いた状態での内部構造の平面図である。消火栓扉４と筐体２との間には緩衝用ダンパ１８が設けられ、消火栓扉４を滑らかに開放できるようにしている。
【００２０】
消火栓扉４の内側の右側部分には消火栓弁開閉レバー１６が設けられ、消火栓弁開閉レバー１６を手前に操作することで、ワイヤーで連結された図２の消火栓弁１１を放水位置に切り替えることができる。このとき図示しないレバーの下部に設けているポンプ起動用の連動スイッチがオンし、消火ポンプ設備のポンプ起動を行うようになる。
【００２１】
ノズル１４からの放水を停止したい場合には、消火栓弁開閉レバー１６を図示の初期位置に戻す。この初期位置への戻しによりワイヤー連結されている消火栓弁１１の給水が停止される。同時にレバー下部の図示しないスイッチがオフとなって消火ポンプ設備を停止できる状態になる。
【００２２】
図３の消火栓扉４の開放状態は図４の側面図から更に明らかになる。消火栓弁開閉レバー１６は、この側面図にあっては開放位置に操作した状態を示している。
【００２３】
再び図３を参照するに、筐体２のホース収納枠の中に内巻き状態で収納されたホース９は、支持アーム７の間を通って消火栓扉４側に引き出され、先端にノズル１４を装着している。この筐体２から引き出されたホース９は、消火栓扉４の内側に取り付けたホースガイド１５を通して引き出されている。
【００２４】
図６は本発明の消火栓装置におけるホース収納枠８を取り付けた支持アーム７に対する消火栓扉４の開放状態で内側に装着しているホースガイド１５を併せて示している。ホース収納枠８の中に内巻き状態で収納されたホース９は、支持アーム７の開口部から引き出され、更に消火栓扉４の内側に設けているホースガイド１５を通って矢印のように引出し方向に引き出される。
【００２５】
このときホースの通路はＵ字型の支持アーム７の下部と逆Ｕ字型のホースガイド１５の間に形成されたループ状の領域で制限されながら引き出される。またホースの引き出しに伴い、ホース収納枠８の中に内巻きされていたホースは支持アーム７の下側とホースガイド１５の間の拘束された空間で旋回しながら巻き出されるようになる。このようにホースガイド１５は外部に引き出すホースを制限する作用を持ち、ホースの引出し過ぎを防ぐことができる。
【００２６】
本発明の消火栓装置にあっては、このような消火栓扉４の内側に設けているホースの引出しを制限するためのホースガイド１５について、消火後にホースを内巻き状態に巻き戻す際には、ホースガイド１５をホース９の位置から外すことができるようにしている。
【００２７】
図７は本発明の消火栓装置で使用するホースガイド１５の第１実施形態の説明図である。図７（Ａ）において、ホースガイド１５は逆Ｕ字型のパイプ部材で形成したガイドアーム２０を使用しており、ガイドアーム２０の右側のアーム端部に軸受け構造を設け、消火栓扉４の内側に固定した回転取付金具１８に連結することで、回転取付金具１８を中心に回動できるように取り付けている。
【００２８】
またガイドアーム２０の左側のアーム端は、消火栓扉４の内側に設けたガイド固定金具１９により着脱自在に固定されている。このガイド金具１９は図７（Ｂ）に示す構造を持つ。即ちガイド固定金具１９は、ガイドアーム２０を押え付ける半円部分とこれに続くフラット部分を備えた固定枠２１に対し、ヒンジ２３で回動自在な回動枠２２を装着しており、固定枠２１と回動枠２２をビス３６とナット３８で連結固定している。
【００２９】
このため、消火後にホースを筐体内に内巻き状態に巻き戻す際には、ガイド固定金具１９のナット３８を外して回動枠２２を２２ａのように開くことで、ガイドアーム２０のガイド固定金具１９に対する固定状態を解除し、回転取付金具１８を中心に外側に回すことでガイドアーム２０をホースから外すことができる。これによって、ガイドアーム２０を設けていてもガイドアーム２０に妨げられることなくホースを容易に筐体内に内巻き状態に戻す作業ができる。
【００３０】
図８は本発明の消火栓装置で使用するホースガイドの第２実施形態の説明図である。図８において、ホースガイド１５は逆Ｕ字型に形成したガイドアーム２０の右側のアーム端部を、図７の実施形態と同様、消火栓扉４に設けた回転取付金具１８に装着して回転自在に取り付けている。
【００３１】
ガイドアーム２０の左側のアーム端部に対しては、消火栓扉４側にストッパ２４が設けられ、ガイドアーム２０を形成している。図８（Ｂ）はストッパ２４を取り出している。ストッパ２４は消火栓扉４の内側に固定した一対のガイド２７に対し、レバー２６を備えたピン２５を摺動自在に設けている。このピン２５に相対したガイドアーム２０の側面にはストッパ穴２８が形成されている。
【００３２】
このため、レバー２６によりピン２５を前進させてガイドアーム２０のストッパ穴２８に係合させることで、図８（Ａ）のようにガイドアーム２０を消火栓扉４の内側に固定している。
【００３３】
消火後に、引き出したホースを筐体内に内巻き状態に巻き戻す場合には、ストッパ２４のレバー２６を後退させ、ピン２５によるストッパ穴２８の係合突起、この状態で切欠２９に位置しているガイドアーム２０の左側を右側の回転取付金具１８を中心に右回りに回動することで、ガイドアーム２０の位置をホースから外し、ホースの内巻き状態への巻き戻し作業を容易に行うことができる。
【００３４】
図９は本発明の消火栓装置におけるホースガイドの第３実施形態の説明図である。この第３実施形態にあっては、図９（Ａ）のように逆Ｕ字型のガイドアーム２０の両側のアーム端部に対し、図８の第２実施形態と同じストッパ２４をそれぞれ設けている。
【００３５】
ストッパ２４は図９（Ｂ）に示す図８の第２実施形態と同じ構造を持っている。但し切欠構造に限らず内穴構造でも良い。このため消火後にホースを内巻き状態に戻す場合には、ストッパ２４に設けているレバー２６を後退させてピン２５によるガイドアーム２０の係止を解除し、これによって消火栓扉４からガイドアーム２０を取り外すことで、ホースの巻き戻しを妨げることなく容易に作業を行うことができる。
【００３６】
図１０は本発明の消火栓装置のホースガイドの第４実施形態の説明図である。ホースガイド１５にあっては、逆Ｕ字型に形成したガイドアーム２０の両方のアーム端のそれぞれに取付金具３０を固定しており、この取付金具３０をそれぞれ固定ネジ３１によって消火栓扉４の内側に着脱自在に設けている。
【００３７】
このため消火後にホースを内巻き状態に戻す場合には、図示のように固定ネジ３１を外すことで消火栓扉４からガイドアーム２０を取り外し、ホースガイド１５に妨げられることなくホースの内巻き状態への巻き戻し作業を容易に行うことができる。
【００３８】
なお図１０の第４実施形態では、ガイドアーム２０の両方のアーム端部に取付金具３０を固定して固定ネジ３１により消火栓扉４に対し着脱自在としているが、取付金具３０を消火栓扉４の内側に固定し、これにガイドアーム２０の両方のアーム端を嵌め入れ、取付金具３０の側方から固定ネジ３１をねじ込んで固定し、外す場合には固定ネジ３１を緩め、扉側の取付金具３０に対しガイドアーム２０のみを外すようにしても良い。また、ねじ込みで固定是，ビスを差し込むことで固定しても良い。
【００３９】
図１１は本発明の消火栓装置におけるホースガイドの第５実施形態の説明図である。この第５実施形態のホースガイド１５にあっては、逆Ｕ字型に形成したガイドアーム２０の右側のアーム端については、図７の第１実施形態と同様、回転取付金具１８により消火栓扉４の内側に回転自在に取り付けている。
【００４０】
ガイドアーム２０の左側のアーム端は途中で切られており、この部分にネジ部２０ａを形成している。ガイドアーム２０のネジ部２０ａ側の扉側には固定アーム４１が固定されており、固定アーム４１の先端にもネジ部４１ａが形成されている。このガイドアーム２０側のネジ部２０ａと固定アーム４１側のネジ部４１ａに対しては、ナットリング４０がねじ込まれている。
【００４１】
図１１（Ａ）のガイドアーム２０の固定状態にあっては、ナットリング４０はネジ部２０ａとネジ部４１ａの両方をねじ込んで消火栓扉４に固定している。消火後にホースを内巻き状態に戻す場合には、ナットリング４０を回して、図１１（Ｂ）のように固定アーム４１のネジ部４１ａにナットリング４０をねじ込み、ガイドアーム２０側のネジ部２０ａから外す。
【００４２】
これによってガイドアーム２０の左側はフリーとなり、回転取付金具１８を中心にガイドアーム２０を外側に回動することでホースから取り外すことができ、ホースの内巻き状態への巻き戻し作業を容易に行うことができる。
【００４３】
図１２は本発明のホースガイドの第６実施形態の説明図である。この第６実施形態のホースガイド１５は、図１２（Ａ）のように、ガイドリング３２にアーム３２ａを一体に形成し、このアーム３２ａを消火栓扉４の内側に設けた取付金具３３に装着している。
【００４４】
取付金具３３は図１２（Ｂ）の構造を持っている。即ち消火栓扉４側に固定する固定枠３４に対し、分離して押え枠３５を設けており、固定枠３４に対しビス３６とナット３８による取付けで、図１２（Ａ）のように消火栓扉４の内側にガイドリング３２を固定している。
【００４５】
消火後にホースを内巻き状態に戻す場合には、図１２（Ｂ）のようにナット３８を外して押え枠３５を固定枠３４から分離する。これによって、取付金具３３により支持していたガイドリング３２を消火栓扉４から外すことができ、消火栓扉４に対するホースガイド１５の取付けが解除されてフリー状態となるため、ホースを内巻き状態に容易に戻すことができる。
【００４６】
なお本発明のホースガイドにおける着脱自在な機構構造としては、上記の第１〜第６実施形態に限定されず、扉に対し逆Ｕ字形状をもつガイドアームの片側を外して回動させる構造、あるいはガイドアームの両方のアーム端を取り外す構造であれば、適宜の着脱自在な取付構造を使用することができる。
【００４７】
【発明の効果】
以上説明してきたように本発明によれば、消火後のホースの内巻き状態への巻き戻しの際には、消火栓扉の内側でホースを通すことにより、引出し量を制限しているホースガイドをホースから外れた位置に動かすことができるため、ホースガイドによってホースが妨げられず、ホース収納作業に要する作業時間を短縮して省力化を図ることができる。
【００４８】
またホースガイドによる制限を受けずにホースを収納できるため、ホースの収納性が良くなり、内巻き状態にホースを適正に巻くことができるため、結果として火災時に確実にホースを引き出すことができる。
【図面の簡単な説明】
【図１】本発明による消火栓装置の正面図
【図２】図１の消火栓装置の扉を外した状態での内部構造の説明図
【図３】図１の消火栓装置の扉を開いた状態での内部構造の説明図
【図４】図３の側面図
【図５】筐体内のホース収納部を取り出した説明図
【図６】ホース収納部と扉に設けたホースガイドのホース引出し時の作用の説明図
【図７】本発明によるホースガイドの第１実施形態の説明図
【図８】本発明によるホースガイドの第２実施形態の説明図
【図９】本発明によるホースガイドの第３実施形態の説明図
【図１０】本発明によるホースガイドの第４実施形態の説明図
【図１１】本発明によるホースガイドの第５実施形態の説明図
【図１２】本発明によるホースガイドの第６実施形態の説明図
【図１３】従来の消火栓装置の説明図
【符号の説明】
１：消火栓装置
２：筐体
３：架台
４：消火栓扉
４ａ，５ａ：開閉ハンドル
５：消火器扉
６ａ：赤色表示灯灯
６ｂ：発信機
７：指示アーム
８：ホース収納枠
９：ホース
１０：給水弁
１１：消火栓弁
１２：自動排水弁
１３：自動調圧弁
１４：ノズル
１５：ホースガイド
１６：消火栓弁開閉レバー
１７：緩衝用ダンパ
１８：回転取付金具
１９：ガイド固定金具
２０：ガイドアーム
２１：固定枠
２２：回動枠
２３：ヒンジ
２４：ストッパ
２５：ピン
２６：レバー
２７：ガイド
２８：ストッパ穴
２９：切欠
３０：取付金具
３１：固定ネジ
３２：ガイドリング
３２ａ：アーム
３３：取付金具
３４：固定枠
３５：押え枠
３６：ビス
３８：ナット
４０：ナットリング
４１：固定アーム
【図１】
0003832724.tif 000002
【図２】
0003832724.tif 000003
【図３】
0003832724.tif 000004
【図４】
0003832724.tif 000005
【図５】
0003832724.tif 000006
【図６】
0003832724.tif 000007
【図７】
0003832724.tif 000008
【図８】
0003832724.tif 000009
【図９】
0003832724.tif 000010
【図１０】
0003832724.tif 000011
【図１１】
0003832724.tif 000012
【図１２】
0003832724.tif 000013
【図１３】
0003832724.tif 000014